(57)【要約】      （修正有）【課題】沈胴式レンズ鏡筒を用いた撮像装置で、意図しない状態で電源起動された場合、レンズ鏡筒の繰り出しによるダメージを軽減する。【解決手段】起動操作を受付ける受付手段と、タッチ操作を検出するタッチ操作検出手段と、起動操作を受付けた際に、タッチ操作検出手段でタッチ操作を検出していない場合には起動操作に応じてレンズ鏡筒を繰り出すように制御し、起動操作を受付けた際に、タッチ操作検出手段でタッチ操作を検出している場合には起動操作に応じてレンズ鏡筒を繰り出さないように制御する制御手段とを有する。【選択図】図３
2016192624.tif 000002
【特許請求の範囲】
【請求項１】
起動操作を受付ける起動受付手段と、
タッチ操作を検出するタッチ操作検出手段とを有し、
前記起動操作を受付けた際に、前記タッチ操作検出手段でタッチ操作を検出していない場合には該起動操作に応じてレンズ鏡筒を繰り出すように制御し、前記起動操作を受付けた際に、前記タッチ操作検出手段でタッチ操作を検出している場合には該起動操作に応じて前記レンズ鏡筒を繰り出さないように制御する制御手段とを有することを特徴とする撮像装置。
【請求項２】
操作受付手段を有し、前記起動受付手段で前記起動操作を受付けた際に、前記操作受付手段で所定の操作を受け際に、防水ケースに収納状態と判断し水中モードとして起動することを特徴とする請求項１に記載の撮像装置。
【請求項３】
前記水中モードは、前記タッチ操作検出手段でのタッチ操作検出を無効にし、前記操作受付手段の検出だけを有効とすることを特徴とする請求項２に記載の撮像装置。
【請求項４】
表示手段を有し、前記起動操作を受付けた際に、前記タッチ操作検出手段でタッチ操作を検出している場合、前記表示手段にタッチされていることを警告表示することを特徴とする請求項１に記載の撮像装置。
【請求項５】
前記タッチ操作検出手段にタッチされていることを警告表示してからの時間を計るタイマー手段を有し、前記タッチ操作検出手段にタッチされていることを警告表示後、前記タイマー手段の計測結果が所定時間を経過していた場合、電源をＯＦＦすることを特徴とする請求項１又は請求項４に記載の撮像装置。
【請求項６】
前記タッチ操作検出手段にタッチされていることを警告表示後、所定時間内に前記タッチ操作検出手段でタッチ操作検出が無くなった場合、レンズ鏡筒を繰り出すように制御を行うことを特徴とする請求項１、請求項４、請求項５の何れか一項に記載の撮像装置。
【請求項７】
前記タッチ操作検出手段の所定領域でタッチ検出が有る場合、レンズ鏡筒を繰り出すように制御することを特徴とする請求項１、請求項４、請求項５、請求項６の何れか一項に記載の撮像装置。
【発明の詳細な説明】
【技術分野】
【０００１】
本発明は、タッチ操作検出するタッチパネルを搭載した撮像装置に関し、特に起動時の起動制御に関する。
【背景技術】
【０００２】
近年、沈胴式のデジタルカメラでは、撮影レンズの高倍率化、広画角化が進められており、５倍の光学倍率、及びワイド端にしたときに３５ｍｍフイルム換算値で２８ｍｍの焦点距離を有する撮影レンズを備えた機種も登場してきている。
【０００３】
沈胴式のデジタルカメラで撮影レンズを高倍率化させると、レンズ鏡筒の繰り出し量が多くなる。このため、上記のような高倍率、高画角の撮影レンズを備えた沈胴式のデジタルカメラに対応させて防水ケースを設計すると、鏡筒部が大型化してしまうという問題も生じる。
【０００４】
そのため、防水ケースに収容された状態で電源がＯＮされると、レンズ鏡筒の繰り出し量を制限する（特許文献１参照）。
【先行技術文献】
【特許文献】
【０００５】
【特許文献１】特開２０１０−１２８１６号公報
【発明の概要】
【発明が解決しようとする課題】
【０００６】
しかしながら、上記特許文献１に記載の発明では、水中撮影を行う為の防水ケース収納状態ではなく、撮像装置単体で鞄の中などに装置を入れ持ち運んでいる際、ユーザが意図しない時に電源ＳＷを押されることで起動しレンズ鏡筒を繰り出してしまいレンズ鏡筒が鞄の中で他の収納物と当たってしまいレンズ鏡筒にダメージを与える可能性が有る。
【０００７】
本発明は、上記の点に鑑みてなされたもので、電源起動時にレンズ鏡筒繰り出しを制御することで、鞄の中などで、ユーザが意図しない状態で電源起動された際にレンズ鏡筒にダメージを軽減できる撮像装置を提供することを目的とする。
【課題を解決するための手段】
【０００８】
上記の目的を達成するために、本発明の撮像装置は、
起動操作を受付ける受付手段と、
タッチ操作を検出するタッチ操作検出手段を有し、
前記起動操作を受付けた際に、前記タッチ操作検出手段でタッチ操作を検出していない場合には該起動操作に応じてレンズ鏡筒を繰り出すように制御し、前記起動操作を受付けた際に、前記タッチ操作検出手段でタッチ操作を検出している場合には該起動操作に応じて前記レンズ鏡筒を繰り出さないように制御する制御手段とを有することを特徴とする。
【発明の効果】
【０００９】
本発明の撮像装置によれば、起動操作を受けた際、タッチパネルへのタッチ操作を行いタッチパネルへのタッチ操作が検出された場合、レンズ鏡筒を繰り出さないように制御することで、鞄の中などでユーザが意図しない状態で電源起動された際にレンズ鏡筒にダメージを軽減できる。
【図面の簡単な説明】
【００１０】
【図１】本発明の実施形態に係わる構成概念図である。
【図２】本発明の実施形態に係わる撮像装置を表すブロック図である。
【図３】撮像装置の起動処理について示すフローチャートである。
【図４】本発明の他の実施形態に係わる構成概念図である。
【発明を実施するための形態】
【００１１】
以下、本発明の実施の形態について、図面を参照して説明する。
【００１２】
図１に、本実施例のデジタルカメラの概要構成図を示す。図１において、１は、デジタルカメラ本体、２は、本体に電源を入れる電源ＳＷ、３は、レリーズスイッチである。４は、撮影及び再生画像・シャッター速度や絞り数値撮影枚数情報の表示及び、ＫＥＹ操作を行うタッチパネル付き液晶パネルである。５は、撮影・再生等のモードを切り替えるモードＳＷである。
【００１３】
なお、図１には図示されていないが、撮影レンズを備えたレンズ鏡筒の沈胴／繰り出しを行う沈胴式レンズ鏡筒も含まれている。
【００１４】
図２は図１に示すデジタルカメラの制御部の構成を示すブロック図である。図中、１１は、デジタルカメラ１を動作させる為、デジタルカメラ本体に電圧供給する電源供給部、１２は、デジタルカメラ全体を制御するためのＣＰＵ、１３は、画像を撮像する為のＣＣＤを含む撮像部、１４は、撮像した画像を処理する画像処理部、１５は、画像データを記憶する記憶部、１６は、撮影画像表示及びデジタルカメラ本体の状態を外部に知らせる為の液晶表示部、１７は、タッチパネルからの操作に応じて装置への操作を行うタッチパネル操作部、１８は、装置への操作を行う操作部、１９は、レンズ鏡筒の制御を行うレンズ鏡筒駆動制御部、２０は、鏡筒駆動制御部からの制御でレンズ鏡筒部を駆動するレンズ鏡筒駆動部である。
【００１５】
なお、図２には図示されていないが、ＣＰＵ１２には、前記図１におけるデジタルカメラの撮影及び再生に必要な諸々の回路等がさらに接続されており、ＣＰＵ１２は、不図示のＲＯＭに格納された所定のプログラム動作制御を行う。
【実施例１】
【００１６】
以上の構成を有する撮像装置の起動処理について図３に示すフローチャートを参考に説明する。
【００１７】
電源起動操作を受けた後、ステップ１０１にて、モードスィッチ５が押下されているか判断を行う。ステップ１０１でモードスィッチ５が押下状態であれば、ステップ１０９に進み、防水ケースに収納状態であると判断してタッチパネル付き液晶パネル４からの操作を受け付けなくする水中モードとして起動する。ステップ１０１でモードスィッチ５が押下状態でないと判断した場合、ステップ１０２に進みタッチパネル検出を開始する。
【００１８】
次にステップ１０３でタッチパネル付き液晶パネル４のタッチパネルに対してタッチ操作が有るか判断を行う。ステップ１０３でタッチパネル付き液晶パネル４のタッチパネルに対してタッチ操作が無いと判断した場合、ステップ１０７に進み沈胴式レンズ鏡筒のレンズ鏡筒を繰り出し、通常立ち上げを行う。ステップ１０３にてタッチパネル付き液晶パネル４のタッチパネルに対してタッチ操作が有ると判断した場合、タッチパネル付き液晶パネル４にタッチパネルへの“タッチされています”などのタッチ状態の警告を表示する。
【００１９】
本実施例では、ステップ１０１にて、モードスィッチが押下されているかで防水ケース収納状態と判断し、ステップ１０９で水中モードとして立ち上げているが、タッチパネル付き液晶パネル４に対して所定領域で所定時間以上押下が有る場合に防水ケース収納状態と判断して、水中モードとして起動しても構わない。
【００２０】
ステップ１０４にてタッチ状態を示す警告を行い、ステップ１０５でタッチ状態の警告表示を行ってから所定時間経過したか判断する。ステップ１０５で所定時間経過したと判断した場合、ステップ１０８に進み、ユーザが意図しないタッチ状態が続いていると判断して、レンズ鏡筒繰り出し制御を行わないで、ＲＯＭに格納された電源ＯＦＦ処理に従い電源をＯＦＦする。ステップ１０５でタッチ状態の警告表示を行ってから所定時間経過していないと判断した場合、ステップ１０６に進みタッチパネル付き液晶パネル４のタッチパネルに対してタッチ検出が無くなったか判断する。
【００２１】
ステップ１０６でタッチパネル付き液晶パネル４のタッチパネルに対するタッチ検出が有ると判断した場合、ステップ１０５に戻りステップ１０６までの処理を繰り返す。ステップ１０６でタッチパネル付き液晶パネル４のタッチパネルに対するタッチ検出が無いと判断した場合、ステップ１０７に進み、ユーザがステップ１０４でタッチパネル付き液晶パネル４にタッチパネルへの“タッチされています”などのタッチ状態の警告表示を認識しタッチパネル付き液晶パネル４にタッチパネルへのタッチを外して通常に立ち上げられる状態に有る為、レンズ鏡筒を制御しレンズ鏡筒をくりだし通常起動を行う。
【００２２】
本実施例では、ステップ１０３でタッチパネル付き液晶パネル４にタッチパネルのタッチ検出可能領域にタッチ検出が有る場合、タッチパネル付き液晶パネル４にタッチパネルへの“タッチされています”などのタッチ状態の警告表示を行っているが、図４のように、ユーザがデジタルカメラ本体１をグリップする際、ユーザの指などが触れるような領域をあらかじめ判定領域外として扱い、その領域内でタッチパネル付き液晶パネル４に対してタッチ検出が有った場合でも、レンズ鏡筒を制御しレンズ鏡筒をくりだし通常起動を行っても良い。
【符号の説明】
【００２３】
１  デジタルカメラ本体、２  電源ＳＷ、３  レリーズＳＷ、
４  タッチパネル付き液晶パネル、５  モードＳＷ、１１  電源供給部、１２  ＣＰＵ、
１３  撮像部、１４  画像処理部、１５  記憶部、１６  液晶表示部、
１７  タッチパネル操作部液晶表示部、１８  操作部
【図１】
2016192624.tif 000003
【図２】
2016192624.tif 000004
【図３】
2016192624.tif 000005
【図４】
2016192624.tif 000006